(57)【特許請求の範囲】
【請求項１】
紙葉類の処理装置において、フィードローラと、該フィードローラの外周面に沿ってその上部が接近する円弧案内部と該円弧案内部に続く平坦案内部を有するガイド板とから成る搬送手段の該ガイド板は、その下端部が本体ケーシングの内部フレームに接離自在に軸支されるとともに、その裏面所要位置で該フレームの案内部に摺動自在に案内される摺動子の揺動案内溝に案内され、該摺動子には下方への弾発力が付勢されるとともに、その降下端が前記揺動案内溝の上端で位置決めされ、その上部で上面側へ突設される案内部がガイド板の裏面に接離自在に当接され、下部で上面側へ突設されるノブが前記ガイド板を貫通して上下に案内されるとともに、該ノブの押し上げ上端が位置決めされて成り、ノブを押し上げることにより、フィードローラの外周面とガイド板の円弧案内部の内周面間の間隙を広くして、オペレータの操作側ヘ詰まった紙葉類を引き出せることを特徴とする紙葉類の処理装置における排出機構。
【発明の詳細な説明】
【０００１】
【発明の属する技術分野】
本発明は、紙葉類の処理装置（例えば紙葉類計数装置など）において、所定の処理を済ませた紙葉類の搬送中の紙詰まりを解消する排出機構に関する。
【０００２】
【従来の技術】
これまでの紙葉類の処理装置、例えば紙葉類計数装置での紙葉類の搬送手段が、フィードローラと、フィードローラの外周に沿って所要の間隙をとって配される円弧案内部と平坦案内部を有するガイド板とから成るものでは、紙葉類がこの間隙に詰まると、図５（ａ）、（ｂ）に示すように、オペレータは処理装置の背面にまわってガイド板の一部円弧案内部をカバーと共に開き、その部分の紙葉を露出させ、背面側へ取り出して紙詰まりを解消していた。
このように、オペレータが操作側から背面に移動して作業するため、紙詰まり処理作業が面倒である上、処理装置の背面上部または中間部に開閉機構を設けるために、当該部分のコンパクト化が避けられず、判定センサ手段や関連機構の設計自由度が制限されていた。
【０００３】
【発明が解決しようとする課題】
本発明は、オペレータが操作側で詰まった紙葉の除去作業をすることができるように、ガイド板が単体でフィードローラから遠ざかる方向に移動し、詰まった紙葉を搬送手段の搬出方向に取り出せる紙葉類の処理装置における排出機構の提供をその目的とする。
【０００４】
【課題を解決するための手段】
本発明の紙葉類の処理装置における排出機構は、紙葉類の処理装置において、フィードローラと、該フィードローラの外周面に沿ってその上部が接近する円弧案内部と該円弧案内部に続く平坦案内部を有するガイド板とから成る搬送手段において該ガイド板は、その下端部が本体ケーシングの内部フレームに揺動自在に軸支されるとともに、その裏面所要位置で該フレームの案内部に摺動自在に案内される摺動子の揺動案内溝に案内され、該摺動子には下方への弾発力が付勢されるとともに、その下降端が前記揺動案内溝の上端で位置決めされ、その上部では上面側へ突設される案内部がガイド板の裏面に接離自在に当接され、下部では上面側へ突設されるノブが前記ガイド板を貫通して上下に案内されるとともに、該ノブの押し上げ上端が位置決めされて成る。
【０００５】
【発明の実施の形態】
ガイド板と摺動子の関係では、摺動子のノブはガイド板の紙葉案内面（表面）より突出できないから、弾発力に抗して押し上げるには、ノブ案内溝を前記表面より低い凹部に設けて指の押し上げ代を形成するものから、Ｔ形の押し上げ治具の使用によるものなども挙げられる。また、ノブの押し上げ上端での位置決めは前記ノブ案内溝に連通する横溝にコインや前記Ｔ形の押し上げ治具の幅広部を係着するなどで行なうほか、ノブ案内溝に弾発力が付勢された係合子（板バネ状のものや球状のもの）を設け、該係合子でノブの側面を拘束するものなどが挙げられる。
【０００６】
【実施例】
本発明の紙葉類の処理装置における排出機構（以下、単に排出機構とする。）ａの実施例を図面に基づき説明すると、図１に示したものは排出機構ａを用いた紙葉類の処理装置としての紙葉類計数装置で、このものは本体ケーシングＡと、本体ケーシングＡの上部に設けられて給紙される紙葉類を堆積するホッパ手段Ｂと、本体ケーシングＡ内に設けられてホッパ手段Ｂに堆積された紙葉類を１枚ずつ繰り出す分別手段Ｃと、分別手段Ｃにより繰り出された紙葉類を搬送する搬送手段Ｄと、搬送される紙葉類の真偽や種類を判別する判定センサ手段Ｅと、判定センサ手段Ｅに判別された紙葉類を送り出すスタッカ羽根車２７と送り出される紙葉類を収納するスタッカ２８からなるスタッカ手段Ｆと、駆動手段Ｇとから成り、本発明の排出機構ａは搬送手段Ｄに設けられている。
【０００７】
排出機構ａを図２から説明すると、フィードローラ１と、フィードローラ１の外周面に沿って上部が接近する円弧案内部２と円弧案内部２に続く平坦案内部３を有するガイド板４とから成る搬送手段Ｄのガイド板４は、その下端部裏面に設けた軸受部５が本体ケーシングＡの内部フレーム６に設けた軸受け７に軸８で軸支されてフィードローラに対し接離自在となっている。さらに、平坦案内部３の円弧案内部２寄りの裏面には二股状の軸受け９が垂下され、軸受け９には横軸１０が軸着され、軸受け９と軸受部５間の平坦案内部３の表面側には図３に示すように、所要幅の凹部１１が設けられ、凹部１１の幅方向中央にはノブ案内溝１２が凹部１１の上下端に渡って貫設され、凹部１１の上方寄りに左右端からノブ案内溝１２に連通する所要幅（１０円硬貨の厚さを挿入できる幅）の横溝１３を貫設してガイド板４は成っている。
一方、本体ケーシングＡの内部フレーム６の平坦案内部３にほぼ平行な傾斜案内部１４には、水平部１５と垂直部１６で逆Ｔ字形状とした摺動子１７の水平部１５を摺動自在に置き、垂直部１６の上下方向中央部で上方から下方に向けて貫設された揺動案内溝１８に横軸１０が摺動自在に案内されている。垂直部１６の上部は上面側ではＴ形に突設された案内部１９がガイド板４の裏面に接離自在に当接され、垂直部１６の下部では幅寸法を同一として上面側に突設したノブ２０をノブ案内溝１２に摺動自在に案内している。図２の運転状態では、ノブ２０の突端が凹部１１の底面より突出するが、平坦案内部３の表面より突出しない寸法でノブ２０は形成される。垂直部１６の下端には他端を内部フレーム６に係着したコイルスプリング２１の一端を係着し、コイルスプリング２１の弾発力を横軸１０を介してガイド板４に付勢することにより、フィードローラ１の外周面とガイド板４の円弧案内部２の表面との間に紙葉類を搬送するに適した間隙２２が形成される。
【０００８】
上記搬送手段Ｄにおけるガイド板４と摺動子１７による排出機構ａは、正常な運転状態では、コイルスプリング２１の弾発力によって摺動子１７の降下端が揺動案内溝１８の上端を横軸１０に係合して位置決めされ、同時に前記弾発力はガイド板４を軸８を中心に左回転させようとするが、摺動子１７の水平部１５が内部フレーム６の傾斜案内部１４に阻止されて回動できないため間隙２２が一定に保持されて紙葉類が搬送される。
【０００９】
次に、腰の弱くなった紙葉や劣悪状態の紙葉などの取り込みで紙詰まりの発生した場合について説明すると、
紙詰まりは間隙２２で発生するため、オペレータは前カバー２３を開けて図４に示すように、摺動子１７のノブ２０に指をかけ、コイルスプリング２１の弾発力に抗してノブ２０を押し上げると摺動子１７が傾斜案内部１４に案内されて押し上げられる。このとき、揺動案内溝１８に案内される横軸１０は揺動案内溝１８の降下部２４に案内されるため、ガイド板４は軸８を中心に僅かに左回転し、押し上げ上端で横溝１３に仮想線で示すコイン２５を挿し込みガイド板４を開状態とする。間隙２２は広げられているのでジャム状態の紙葉２６は操作側から搬出方向へ簡単に引き出され紙詰まりが解消される。
紙詰まりが解消するとコイン２５を横溝１３から抜き取れば、摺動子１７がコイルスプリング２１によって引き下げられ、同時に横軸１０は揺動案内溝１８によって押し上げられ、ガイド板４は軸８を中心に僅かに右回転し、揺動案内溝１８の上端に横軸１０を係合した状態では、コイルスプリング２１の弾発力はガイド板４の右回転には作用しないから、所定の間隙２２が一定に保持される。前カバー２３を閉じて紙葉除去作業が完了する。
【００１０】
【発明の効果】
本発明の排出機構によれば、オペレータは紙詰まりが発生しても通常と同じ方向から処理装置を操作して詰まった紙葉を除去できるため、紙葉の除去作業が容易となる。また、詰まった紙葉を除去するために必要なガイド板の開閉角度が小さく抑えられるから、背部に収める判定センサ手段や関連機構の設計自由度も大きくとれる上、該背部のスペースも制限されず紙葉類の処理装置自体の高機能化ができる。
【図面の簡単な説明】
【図１】本発明を施した紙葉類計数装置の説明図。
【図２】本発明の排出機構ａの正常運転時の一側面の説明図。
【図３】図２の正面図。
【図４】排出機構ａの紙詰まり発生時の紙葉の除去状態の説明図。
【図５】従来の紙葉の除去状態の説明図で、（ａ）はガイド板の上端部を背面のカバーと共に開閉するタイプを示し、(ｂ)はガイド板の上部（円弧案内部）を背面のカバーと共に開閉するタイプを示す。
【符号の説明】
１  フィードローラ
２  円弧案内部
３  平坦案内部
４  ガイド板
５  軸受部
６  内部フレーム
７  軸受け
８  軸
９  軸受け
１０  横軸
１１  凹部
１２  ノブ案内溝
１３  横溝
１４  傾斜案内部
１５  水平部
１６  垂直部
１７  摺動子
１８  揺動案内溝
１９  案内部
２０  ノブ
２１  コイルスプリング
２２  間隙
２３  前カバー
２４  降下部
２５  コイン
２６  紙葉
２７  スタッカ羽根車
２８  スタッカ
ａ  紙葉類の処理装置における排出機構
【図１】
0003685782.tif 000002
【図２】
0003685782.tif 000003
【図３】
0003685782.tif 000004
【図４】
0003685782.tif 000005
【図５】
0003685782.tif 000006